(57)【要約】  フレキシブルディスプレイ屈曲組立体の実施形態では、屈曲組立体は、折り畳み可能な電子デバイスの第１及び第２のハウジング部を結合する枢動可能なリンクの構造体を含む。折り畳み可能な電子デバイスの第１のハウジング部は、フレキシブルディスプレイを含み、第１のハウジング部は、フレキシブルディスプレイの第１の部分と一体にされる。折り畳み可能な電子デバイスの第２のハウジング部は、フレキシブルディスプレイの第２の部分と一体にされる。枢動可能なリンクは、フレキシブルディスプレイの曲げ半径を形成するように及び折り畳み可能な電子デバイスの閉位置においてフレキシブルディスプレイを支持するように、互いに対して折り畳まれるように実現される。枢動可能なリンクの構造体はまた、折り畳み可能な電子デバイスの開位置においてフレキシブルディスプレイを支持するように実現される。
2014519626.tif 000002
【特許請求の範囲】
【請求項１】
フレキシブルディスプレイを含む折り畳み可能な電子デバイスの第１のハウジング部であって、前記フレキシブルディスプレイの第１の部分に一体にされる、第１のハウジング部；
前記折り畳み可能な電子デバイスの第２のハウジング部であって、前記フレキシブルディスプレイの第２の部分に一体にされる、第２のハウジング部；及び
前記折り畳み可能な電子デバイスの前記第１及び第２のハウジング部を結合する枢動可能なリンクの構造体であって、前記枢動可能なリンクは、前記折り畳み可能な電子デバイスの閉位置において前記フレキシブルディスプレイの曲げ半径を形成するように及びに前記フレキシブルディスプレイを支持するように、互いに対して折り畳めるように構成される、枢動可能なリンクの構造体；
を有する、屈曲組立体。
【請求項２】
前記枢動可能なリンクの前記構造体はさらに、前記折り畳み可能な電子デバイスの開位置において前記フレキシブルディスプレイを支持するように構成される、
請求項１に記載の屈曲組立体。
【請求項３】
前記フレキシブルディスプレイは、前記折り畳み可能な電子デバイスの前記第１及び第２のハウジング部が閉じられるときに前記曲げ半径を形成するように前記枢動可能なリンクが折り畳まれるとき、前記枢動可能なリンク周りに曲がるように構成される、
請求項１に記載の屈曲組立体。
【請求項４】
前記枢動可能なリンクの前記構造体は、前記折り畳み可能な電子デバイスの開位置における前記フレキシブルディスプレイの過剰な移動を防ぐための停止部を含む、
請求項１に記載の屈曲組立体。
【請求項５】
前記枢動可能なリンクは、前記枢動可能なリンクの前記構造体を形成するように、構造材料で一体化される、
請求項１に記載の屈曲組立体。
【請求項６】
前記構造体の前記枢動可能なリンクは、前記枢動可能なリンクの前記構造体を形成するように移動可能に一緒に結合される個別のリンクである、
請求項１に記載の屈曲組立体。
【請求項７】
前記枢動可能なリンクの前記構造体は、一体化されたリンクを持つ屈曲部又は移動可能に一緒に結合される個別のリンクの連続の一方を有する、
請求項１に記載の屈曲組立体。
【請求項８】
構造体の枢動可能なリンクを、フレキシブルディスプレイの曲げ半径を形成するように、互いに対して折り畳むステップであって、前記枢動可能なリンクの前記構造体は、折り畳み可能な電子デバイスの第１及び第２のハウジング部を結合する、ステップ；
前記第１及び第２のハウジング部が互いに対して閉じられるとき、前記フレキシブルディスプレイを前記折り畳み可能な電子デバイスの閉位置に折り畳むように、前記枢動可能なリンク周りで前記フレキシブルディスプレイを曲げるステップ；及び
前記折り畳み可能な電子デバイスの閉位置において、前記枢動可能なリンクの前記構造体で前記フレキシブルディスプレイを支持するステップ；
を有する、方法。
【請求項９】
前記折り畳み可能な電子デバイスの開位置において、前記枢動可能なリンクの前記構造体で前記フレキシブルディスプレイを支持するステップをさらに有する、
請求項８に記載の方法。
【請求項１０】
前記折り畳み可能な電子デバイスの開位置において、前記フレキシブルディスプレイの過剰な移動を防ぐステップをさらに有する、
請求項８に記載の方法。
【発明の詳細な説明】
【背景技術】
【０００１】
携帯電話、メディアプレーヤ、及びタブレットコンピュータ等、ポータブル電子デバイスはますます一般的になっている。これらの種類のデバイスは、典型的には、一体化されたディスプレイ装置を含み、多くはデュアルディスプレイを含む。例えば、モバイルデバイスは、１つの大きいディスプレイを形成するために２つのディスプレイ装置を並んで開くようにヒンジ接続され得る。ユーザは、典型的には、ポケット又はハンドバッグに入れて便利に持ち歩くために、できる限り小さいデバイスを望むが、より見やすい大きいディスプレイを持つデバイスも望む。ディスプレイ製造者はフレキシブルディスプレイを開発し始めており、このディスプレイは、典型的にはより小さい、ポータブル電子デバイスに組み込まれるであろうより大きいディスプレイ面を提供するために使用され得る。しかし、フレキシブルディスプレイは、環境要因から、及び、例えば、典型的には１つの大きいディスプレイを形成するために２つのディスプレイ装置を並んで組み込むヒンジ接続されたモバイルデバイスにおいて等、折り畳まれるとき、損傷を受けやすい。
【発明の概要】
【発明が解決しようとする課題】
【０００２】
この概要は、フレキシブルディスプレイ屈曲組立体の単純化された概念を紹介し、この概念は以下に詳細な説明にさらに記載される及び／又は図面に示される。この概要は、請求項の主題の主要な特徴を記載すると見なされるべきではなく、又請求項の主題の範囲を決定又は限定するために使用されるべきではない。
【０００３】
フレキシブルディスプレイ屈曲組立体が記載される。実施形態では、屈曲組立体は、折り畳み可能な電子デバイスの第１及び第２のハウジング部を結合する枢動可能なリンクの構造体を含む。折り畳み可能な電子デバイスの第１のハウジング部は、フレキシブルディスプレイを含み、第１のハウジング部は、フレキシブルディスプレイの第１の部分と一体にされる。折り畳み可能な電子デバイスの第２のハウジング部は、フレキシブルディスプレイの第２の部分と一体にされる。枢動可能なリンクは、フレキシブルディスプレイの曲げ半径を形成するように及び折り畳み可能な電子デバイスの閉位置においてフレキシブルディスプレイを支持するように互いに対して折り畳まれるように実現される。枢動可能なリンクの構造体はまた、折り畳み可能な電子デバイスの開位置においてフレキシブルディスプレイを支持するように実現される。
【０００４】
他の実施形態では、フレキシブルディスプレイは、折り畳み可能な電子デバイスの第１及び第２のハウジング部が閉じられて枢動可能なリンクが曲げ半径を形成するように折り畳まれるとき、枢動可能なリンク周りに曲がる。枢動可能なリンクの構造体は、折り畳み可能な電子デバイスの開位置におけるフレキシブルディスプレイの過剰な移動を防ぐための停止部を含む。枢動可能なリンクの構造体は、移動可能に一緒に結合される個別のリンクの連続として、又は構造材料で一緒に形成される一体化されたリンクを持つ屈曲部として実現されることができる。屈曲組立体は、約１８０度（１８０°）の開位置で折り畳み可能な電子デバイスを保持するように第１のトルクを加えるための、及び約０度（０°）の閉位置で折り畳み可能な電子デバイスを保持するように第２のトルクを加えるための、移動止め機構を含むことができる。
【図面の簡単な説明】
【０００５】
フレキシブルディスプレイ屈曲組立体の実施形態が以下の図面を参照して記載される。同じ番号が、図面に示される同様の特徴及び構成要素を参照するために全体に渡って使用され得る。
【図１】図１は、１又は複数の実施形態による折り畳み可能な電子デバイスに実装されたフレキシブルディスプレイ屈曲組立体の例を示す。
【図２】図２は、１又は複数の実施形態によるフレキシブルディスプレイ屈曲組立体の例を示す。
【図３】図３は、１又は複数の実施形態によるフレキシブルディスプレイ屈曲組立体の例を示す。
【図４】図４は、１又は複数の実施形態による折り畳み可能な電子デバイスに実装されたフレキシブルディスプレイ屈曲組立体の例を示す。
【図５】図５は、１又は複数の実施形態による折り畳み可能な電子デバイスに実装されたフレキシブルディスプレイ屈曲組立体の例を示す。
【図６】図６は、１又は複数の実施形態による屈曲組立体の例示の構成を持つ図５に示された折り畳み可能な電子デバイスをさらに示す。
【図７】図７は、１又は複数の実施形態によるフレキシブルディスプレイ屈曲組立体の例示の方法を示す。
【図８】図８は、フレキシブルディスプレイ屈曲組立体の実施形態が実装されることができる例示の電子デバイスの様々な構成要素を示す
【発明を実施するための形態】
【０００６】
フレキシブルディスプレイ屈曲組立体が記載され、実施形態は、拡張可能な及び／又は折り畳み可能な電子デバイスのフレキシブルディスプレイで使えるように実現されることができる。例えば、携帯電話又はタブレットコンピュータ等、ポータブルデバイスは、一体化されたフレキシブルディスプレイを含む拡張可能な及び／又は折り畳み可能な電子デバイスとして、実現され得る。フレキシブルディスプレイを備える携帯電話は、標準サイズの電話として使用されることができ、そしてまた電子メールを読むため、地図を見るため、文書を編集するため、及びより大きいディスプレイで便利に達成される他の仕事のために、ユーザ用ディスプレイ画面を増大するように拡大される又は開かれることができる。
【０００７】
フレキシブルディスプレイ屈曲組立体の特徴及び概念は、任意の数の異なるデバイス、システム、及び／又は構造に実装されることができるが、フレキシブルディスプレイ屈曲組立体の実施形態は、以下の例示のデバイス、システム、及び方法の文脈で記載される。
【０００８】
図１は、本明細書に記載される実施形態によるフレキシブルディスプレイ屈曲組立体の例１００を示す。折り畳み可能な電子デバイス１０２は、フレキシブルディスプレイ１０４を含み、屈曲組立体１０６とともに実現されることができる。第１の図１０８では、折り畳み可能な電子デバイスは、閉位置で示される。デバイスは、フレキシブルディスプレイの第１の部分と一体にされた第１のハウジング部１１０を含むとともに、フレキシブルディスプレイの第２の部分と一体にされた第２のハウジング部１１２を含む。フレキシブルディスプレイは、閉位置（アンチブックモードとも呼ばれる）においてデバイスの両側から見ることができる。
【０００９】
第１のハウジング部１１０は、第２のハウジング部１１２に移動可能に結合されるとともに、約０度（０°）の閉位置から約１８０度（１８０°）の開位置まで開くように動作可能である。第２の図１１４では、折り畳み可能な電子デバイス１０２は、例えば、第２のハウジング部１１２が、第１及び第２のハウジング部を互いに隣接して配置するように、回って且つ上に回転されるときのような、開位置で示される。
【００１０】
第３の図１１６では、折り畳み可能な電子デバイス１０２はまた閉位置で示され、フレキシブルディスプレイ１０４は、デバイスの閉位置にフレキシブルディスプレイ屈曲組立体１０６周りに曲がるとともに折り重なる。第３の図１１８では、折り畳み可能な電子デバイスはまた、開位置で示される。屈曲組立体は、枢動可能なリンクの構造体を含み、構造体は、折り畳み可能な電子デバイスの第１のハウジング部１１０を第２のハウジング部１１２に移動可能に結合する。枢動可能なリンクは、フレキシブルディスプレイの曲げ半径１２２を形成するために及び折り畳み可能な電子デバイスの閉位置でフレキシブルディスプレイを支持するために、互いに対して折り畳まれるように実現される。フレキシブルディスプレイは、枢動可能なリンク１２０が折り畳み可能な電子デバイスの第１及び第２のハウジング部が閉じられるように、曲げ半径を形成するように折り畳まれるとき、枢動可能なリンク１２０周りに曲がることができる。これは、デバイスの第１及び第２のハウジング部に一体化されるフレキシブルディスプレイの部分が、デバイスの開位置及び閉位置において同じ相対位置を保つことを可能にする。
【００１１】
枢動可能なリンク１２０の構造体はまた、図１１８に示されるように、折り畳み可能な電子デバイス１０２の開位置においてフレキシブルディスプレイを支持する。枢動可能なリンクの構造体は、デバイスの開位置におけるフレキシブルディスプレイの過剰な移動を防ぐための停止部を含むことができる。実施形態では、枢動可能なリンクは、例えば、電鋳される又はポリマ又は金属ベースの材料から機械加工される等、一体化された枢動可能なリンクを備える屈曲組立体として構造材料から形成されることができる。代替的には、構造体の枢動可能なリンクは、移動可能に一緒に結合される個別のリンクの連続部等、枢動可能なリンクの構造体を形成するように移動可能に一緒に結合される個別のリンクである。移動可能に一緒に結合される個別のリンクの例は図２に示される。
【００１２】
フレキシブルディスプレイ１０４は、バックライトで照明されるフレキシブルＬＣＤディスプレイとして実現され得る。フレキシブルバックライト１２４が、フレキシブルディスプレイを照明するように実現されることができ、フレキシブルバックライトは、フレキシブルディスプレイの下で曲がるとともに折り畳み可能な電子デバイスの閉位置に折り重なる。代替的には、フレキシブルディスプレイは、図１１８に示されるように、一体化されたフレキシブルバックライトの必要性なしに自発光するフレキシブルＯＬＥＤディスプレイとして実現され得る。
【００１３】
図２は、図１を参照して記載されたフレキシブルディスプレイ屈曲組立体の例２００をさらに示す。枢動可能なリンクの第１の構造体２０２は、枢動可能なリンク２０４の構造体を形成するように移動可能に一緒に結合される個別の枢動可能なリンク２０４を含む。第１の構造体の枢動可能なリンクは、２０６に開位置で示され、また、折り畳み可能な電子デバイスの第１及び第２のハウジングが閉じられるとき等、２０８において互いに対して折り畳まれて示される。
【００１４】
枢動可能なリンクの第２の構造体２１０は、個別のリンク２１２及び個別のリンクを移動可能に結合するカプラ２１４で実現される。第２の構造体は、２１６において側面図及び２１８において上面図が示される。第２の構造体の枢動可能なリンクはまた、２１６において開位置で示され、また、折り畳み可能な電子デバイスの第１及び第２のハウジングが閉じられるとき等、２２０において互いに対して折り畳まれて示される。
【００１５】
図３は、フレキシブルディスプレイ屈曲組立体の例３００をさらに示す。枢動可能なリンクの第１の構造体３０２は、個別のリンク３０４及び個別のリンクを移動可能に結合するカプラ３０６で実現される。第１の構造体は、３０８において、側面図、且つ開位置で、及び、折り畳み可能な電子デバイスの第１及び第２のハウジングが閉じられるとき等、３１０において互いに対して折り畳まれて示される。この例では、それぞれの個別のリンク３０４は、屈曲組立体が約１８０度（１８０°）を超えて開くことを防ぐために実装される一体化された停止部３１２を含む。加えて、それぞれの個別のリンクに一体化された停止部３１２は、例えば３０８で示される開位置において等、フレキシブルディスプレイを支持するための滑らかな表面を形成する。
【００１６】
枢動可能なリンクの第２の構造体３１４は、個別のリンク３１６及び個別のリンクを移動可能に結合するカプラ３１８で実現される。第２の構造体は、３２０において、側面図、且つ開位置で、及び、折り畳み可能な電子デバイスの第１及び第２のハウジングが閉じられるとき等、３２２において互いに対して折り畳まれて示される。この例では、それぞれカプラ３１８は、屈曲組立体が約１８０度（１８０°）を超えて開くことを防ぐために実装される一体化された停止部３２４を含む。加えて、それぞれのカプラに一体化された停止部３２４は、例えば３２０で示される開位置において等、フレキシブルディスプレイを支持するように個別のリンクの上部とともに滑らかな表面を形成する。
【００１７】
図４は、本明細書に記載された実施形態によるフレキシブルディスプレイ屈曲組立体の例４００をさらに示す。折り畳み可能な電子デバイス４０２が、第１の図４０４において、閉位置で示される。この例では、折り畳み可能な電子デバイスは、第１の屈曲組立体４０６及び第２の屈曲組立体４０８を用いて実現される重ならない三つ折デバイスである。折り畳み可能な電子デバイス４０２は、デバイスの閉位置に両方の屈曲組立体の周りに曲がるとともに折り重なるフレキシブルディスプレイ４１０を含む。折り畳み可能な電子デバイスはまた、第２の図４１２においてデバイスの開位置で示される。
【００１８】
第１の屈曲組立体４０６は、枢動可能なリンク４１４の構造体を含み、第１の構造体は、折り畳み可能な電子デバイスの第１のハウジング部４１６をデバイスの第２のハウジング部４１８に結合する。第２の屈曲組立体４０８は、枢動可能なリンク４２０の構造体を含み、第２の構造体は、折り畳み可能な電子デバイスの第１のハウジング部４１６をデバイスの第３のハウジング部４２２に結合する。２つの構造体の枢動可能なリンクは、フレキシブルディスプレイ４１０の曲げ半径１２２を形成するために及び折り畳み可能な電子デバイスの閉位置でフレキシブルディスプレイを支持するために、互いに対して折り畳まれるように実現される。
【００１９】
第１のハウジング部４１６は、フレキシブルディスプレイの第１の部分と一体化され、第２のハウジング部４１８は、フレキシブルディスプレイの第２の部分と一体化され、第３のハウジング部４２２は、フレキシブルディスプレイの第３の部分と一体化される。フレキシブルディスプレイ４１０は、折り畳み可能な電子デバイスの第１及び第２のハウジング部が閉じられるように枢動可能なリンク４１４が折り畳まれるとき、枢動可能なリンク４１４周りに曲がることができる。同様に、フレキシブルディスプレイ４１０は、折り畳み可能な電子デバイスの第１及び第３のハウジング部が閉じられるように枢動可能なリンク４２０が折り畳まれるとき、枢動可能なリンク４２０周りに曲がることができる。第１の屈曲組立体４０６及び第２の屈曲組立体４０８はまた、図４１２に示されるように、折り畳み可能な電子デバイス４０２の開位置でフレキシブルディスプレイを支持することができる。
【００２０】
フレキシブルディスプレイ４１０は、バックライトで照明されるフレキシブルＬＣＤディスプレイとして実現され得る。フレキシブルバックライト４２４が、フレキシブルディスプレイを照明するように実現されることができ、フレキシブルバックライトは、フレキシブルディスプレイの下で曲がるとともに折り畳み可能な電子デバイスの閉位置に折り重なる。代替的には、フレキシブルディスプレイは、図４１２に示されるように、一体化されたフレキシブルバックライトの必要性なしに自発光するフレキシブルＯＬＥＤディスプレイとして実現され得る。
【００２１】
他の折り畳み可能な電子デバイス４２６が、４２８において閉位置で示される。この例では、折り畳み可能な電子デバイスは、大きい屈曲組立体４３２に対して小さい屈曲組立体４３０を用いて実現される重なる三つ折デバイスである。折り畳み可能な電子デバイス４２６は、デバイスの閉位置に両方の屈曲組立体の周りに曲がるとともに折り重なるフレキシブルディスプレイ４３４及びフレキシブルバックライト４３６を含む。小さい屈曲組立体は、折り畳み可能な電子デバイスの第１のハウジング部４３８をデバイスの第２のハウジング部４４０に結合し、屈曲組立体の枢動可能なリンクは、曲げ半径を形成するために及びデバイスの閉位置でフレキシブルディスプレイを支持するために、互いに対して折り畳まれる。同様に、大きい屈曲組立体は、折り畳み可能な電子デバイスの第１のハウジング部をデバイスの第３のハウジング部４４２に結合し、屈曲組立体の枢動可能なリンクは、曲げ半径を形成するために及びデバイスの閉位置でフレキシブルディスプレイを支持するために、互いに対して折り畳まれる。この例では、折り畳み可能な電子デバイスのハウジング部は略同じ幅である一方、ハウジング部の厚さは異なり得る。
【００２２】
図５は、本明細書に記載された実施形態によるフレキシブルディスプレイ屈曲組立体の例５００を示す。折り畳み可能な電子デバイス５０２が、第１の図５０４に閉位置で示される。折り畳み可能な電子デバイスは、デバイスの閉位置にディスプレイ支持部５０８の周りに曲がるとともに折り重なるフレキシブルディスプレイ５０６を含む。この実施形態では、ディスプレイ支持部５０８は、可撓性支持部として及び／又は図１−３を参照して記載されたような個別の及び／又は一体化された枢動可能なリンクを含む屈曲組立体の何れかとして、実現される。フレキシブルディスプレイ５０６は、バックライトで照明されるフレキシブルＬＣＤディスプレイとして実現され得る。フレキシブルバックライト５１０が、フレキシブルディスプレイを照明するように実現されることができ、フレキシブルバックライトは、フレキシブルディスプレイの下で曲がるとともに折り畳み可能な電子デバイスの閉位置に折り重なる。代替的には、フレキシブルディスプレイは、一体化されたフレキシブルバックライトの必要性なしに自発光するフレキシブルＯＬＥＤディスプレイとして実現され得る。折り畳み可能な電子デバイスはまた、第２の図５１２においてデバイスの開位置で示される。
【００２３】
折り畳み可能な電子デバイス５０２は、折り畳み可能な電子デバイスの第１のハウジング部５１６をデバイスの第２のハウジング部５１８に移動可能に結合する屈曲組立体５１４を含む。屈曲組立体５１４は、枢動機構５２０及び５２２、枢動機構によって結合される接続ロッド５２４、折り畳み可能な電子デバイスを開閉するようにトルクを加えるカム組立体５２６を含む。枢動機構５２２は、デバイスが開かれる及び閉じられるとき移動止め力を加えるようにそれぞれのカム組立体５２６に対して回転する一体化されたカム５２８をそれぞれ含むことができる。実施形態では、枢動組立体は、例えば、折り畳み可能な電子デバイスの第１及び第２のハウジング部の開閉タイミングを制御するために、ピン、アキシャルカム、及び／又はギヤードカムとして実現されることができる。屈曲組立体はまた、折り畳み可能な電子デバイスが開き過ぎる（例えば、約１８０°以下を超えて）ことを防ぐように、過剰な移動停止部を備えて実現されることもできる。
【００２４】
図６は、図５を参照して図示されるとともに記載された折り畳み可能な電子デバイス５０２をさらに示す。折り畳み可能な電子デバイスは、第１の構成で、６０２において上面図で示され、この第１の構成は、折り畳み可能な電子デバイスの第１のハウジング部５１６をデバイスの第２のハウジング部５１８に移動可能に結合する２つの屈曲組立体５１４を含む。他の実施形態では、折り畳み可能な電子デバイスは、例えば、２つの屈曲組立体５１４の間の略中心に位置する追加的な屈曲組立体を備えて等、２より多い屈曲組立体を備えて実現され得る。折り畳み可能な電子デバイスはまた、第２の構成で、６０４において上面図で示され、この第２の構成は、デバイスの底部を横切る固体組立体として実現される屈曲組立体６０６を含む。屈曲組立体６０６は、枢動機構６０８、２つの接続プレート６１０、及びカム組立体６１２を含む。
【００２５】
図７は、フレキシブルディスプレイ屈曲組立体の例示の方法７００を示す。方法ブロックが記載される順番は、限定として解釈されることが意図されるものではなく、任意の数の記載された方法ブロックが、方法、又は代替方法を実現するために任意の順番で組み合わされることができる。
【００２６】
ブロック７０２において、構造体の枢動可能なリンクは、折り畳み可能な電子デバイスに一体化されたフレキシブルディスプレイの曲げ半径を形成するように、互いに対して折り畳まれる。例えば、屈曲組立体１０６（図１）は、折り畳み可能な電子デバイス１０２に一体化されたフレキシブルディスプレイ１０４の曲げ半径１２２を形成するように、互いに対して折り畳まれる構造体の枢動可能なリンク１２０を含む。
【００２７】
ブロック７０４において、フレキシブルディスプレイは、フレキシブルディスプレイを折り畳み可能な電子デバイスの閉位置に折り畳むために枢動可能なリンク周りに曲がる。例えば、フレキシブルディスプレイ１０４は、折り畳み可能な電子デバイス１０２の第１及び第２のハウジング部が閉じられるように曲げ半径１２２を形成するために枢動可能なリンク１２０が折り畳まれるとき、枢動可能なリンク１２０周りに曲がる。
【００２８】
ブロック７０６において、フレキシブルディスプレイは、折り畳み可能な電子デバイスの閉位置において枢動可能なリンクの構造体で支持される。例えば、枢動可能なリンク１２０の構造体は、図１１６に示されるように、折り畳み可能な電子デバイス１０２の閉位置でフレキシブルディスプレイ１０４を支持する。ブロック７０８において、フレキシブルディスプレイは、折り畳み可能な電子デバイスの開位置において枢動可能なリンクの構造体で支持される。例えば、枢動可能なリンク１２０の構造体は、図１１８に示されるように、折り畳み可能な電子デバイス１０２の開位置でフレキシブルディスプレイ１０４を支持する。
【００２９】
ブロック７１０において、フレキシブルディスプレイの過剰な移動が、折り畳み可能な電子デバイスの開位置において防がれる。例えば、枢動可能なリンク１２０の構造体は、折り畳み可能な電子デバイス１０２の開位置におけるフレキシブルディスプレイ１０４の過剰な移動を防ぐための停止部を含む。ブロック７１２において、フレキシブルディスプレイは、フレキシブルディスプレイの下で曲がるとともに折り畳み可能な電子デバイスの閉位置に折り重なるフレキシブルバックライトで照明される。例えば、フレキシブルバックライト１２４は、フレキシブルＬＣＤディスプレイ等、フレキシブルディスプレイ１０４を照明し、フレキシブルバックライトは、フレキシブルディスプレイの下で曲がるとともに折り畳み可能な電子デバイスの閉位置に折り重なる。
【００３０】
図８は、前の図１−７を参照して記載された任意の折り畳み可能な電子デバイスのいずれかとして実現されることができる例示的デバイス８００の様々なコンポーネントを示す。実施態様では、デバイスは、コンシューマデバイス、コンピュータデバイス、ポータブルデバイス、ユーザデバイス、通信デバイス、電話機デバイス、ナビゲーションデバイス、テレビデバイス、家電デバイス、ゲームデバイス、メディア再生デバイス、及び／又は電子デバイスの任意の形態で、固定又はモバイルデバイスのいずれか１つ又は組み合わせとして実現され得る。デバイスはまた、デバイスが、ユーザ、ソフトウェア、ファームウェア、ハードウェア、及び／又はデバイスの組み合わせを含む論理デバイスを表すようなデバイスを操作するユーザ（すなわち、人）及び／又はエンティティと関連付けることができる、。
【００３１】
デバイス８００は、例えば受信されたデータ、受信中のデータ、一斉送信予定のデータ、データのデータパケット等、デバイスデータ８０４の有線通信及び／又は無線通信を可能にする通信デバイス８０２を含む。デバイスデータ又は他のデバイスコンテンツは、デバイスのコンフィギュレーション設定、デバイスに格納されたメディアコンテンツ、及び／又はデバイスのユーザーに関連した情報を含むことができる。デバイスに格納されたメディアコンテンツは、任意のタイプの音声データ、映像データ、及び／又は画像データを含むことができる。このデバイスは、１又は複数のデータ入力部８０６を含み、このデータ入力部を介して、例えばユーザーが選択可能な入力、並びに任意のコンテンツ及び／又はデータソースから受け取った任意の他のタイプの音声、映像、及び／又は画像データ等、任意のタイプのデータ、メディアコンテンツ、及び／又は入力が受け取られることができる。
【００３２】
デバイス８００はまた、例えばシリアル、パラレル、ネットワーク、又は無線インターフェースのいずれか１つ又は複数等、通信インターフェース８０８も含む。通信インターフェースは、デバイスと通信ネットワークとの間の接続及び／又は通信リンクを提供し、これによって、他の電子デバイス、コンピューティングデバイス、及び通信デバイスが、データをデバイスと通信する。
【００３３】
デバイス８００は、デバイスの動作を制御するように様々なコンピュータ実行可能命令を処理する１又は複数のプロセッサ８１０（例えば、任意のマイクロプロセッサ、コントローラ、及び同様のもののいずれか）を含む。代替的に又は追加的に、デバイスは、ソフトウェア、ハードウェア、ファームウェア、又は、８１２に概して示される処理及び制御回路に関連して実装される固定論理回路のいずれか１つ又は組み合わせを用いて実現可能である。図示されていないが、デバイスは、デバイス内の様々なコンポーネントを結合するシステムバス又はデータ転送システムを含むことができる。システムバスは、例えば、メモリバス若しくはメモリコントローラ、周辺機器用バス、ユニバーサルシリアルバス、及び／又は、様々なバスアーキテクチャのいずれかを利用するプロセッサバス若しくはローカルバス等、異なるバス構造のいずれか１つ又は組み合わせを含むことができる。
【００３４】
デバイス８００はまた、例えばランダムアクセスメモリ（ＲＡＭ）、不揮発性メモリ（例えば、リードオンリーメモリ（ＲＯＭ）、フラッシュメモリ等）、及びディスクストレージデバイス等、データ格納を可能にする１又は複数のメモリーデバイス８１４（例えばコンピュータ可読記憶媒体）も含む。ディスクストレージデバイスは、例えばハードディスクドライブ、記録可能な及び／又は書き換え可能なディスク等、任意のタイプの磁気又は光学ストレージデバイスとして実現され得る。デバイスはまた、大容量記憶媒体デバイスを含み得る。
【００３５】
コンピュータ可読媒体は、コンピューティングデバイスによってアクセスされる任意の利用可能な媒体であり得る。限定ではなく、例として、コンピュータ可読媒体は、記憶媒体及び通信媒体を含み得る。記憶媒体は、例えばコンピュータ可読命令、データ構造、プログラムモジュール、又は他のデータ等の情報の記憶のための任意の方法又は技術で実現された、揮発性及び不揮発性媒体、リムーバブル及び非リムーバブル媒体を含む。記憶媒体は、限定ではないが、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光学ストレージ、磁気カセット、磁気テープ、磁気ディスクストレージ若しくは他の磁気ストレージデバイス、又は、情報を格納するために使用されることができるとともにコンピュータによってアクセスされることができる任意の他の媒体を含む。
【００３６】
通信媒体は、典型的には、コンピュータ可読命令、データ構造、プログラムモジュール、又は他のデータを、例えば搬送波又は他の伝送メカニズム等の変調データ信号に具現化する。通信媒体はまた、任意の情報配送媒体も含む。変調データ信号は、１又は複数のその特性を、信号の情報をエンコードするような方法で設定する又は変更する。限定ではなく例として、通信媒体は、有線ネットワーク又は直接有線接続等の有線媒体、並びに、音響、ＲＦ、赤外線、及び他の無線媒体等の無線媒体を含む。
【００３７】
メモリデバイス８１４は、デバイスデータ８０４、他のタイプの情報及び／又はデータ、並びに様々なデバイスアプリケーション８１６を格納するためのデータ記憶メカニズムを提供する。例えば、オペレーティングシステム８１８は、メモリデバイスを用いてソフトウェアアプリケーションとして保持され、プロセッサで実行されることができる。デバイスアプリケーションはまた、例えば、任意の形態の制御アプリケーション、ソフトウェアアプリケーション、信号処理及び制御モジュール、特定のデバイスに固有のコード、特定のデバイス用のハードウェアアブストラクションレイヤ等のような、デバイスマネージャを含むことができる。
【００３８】
デバイス８００はまた、音声システム８２２のために音声データを生成する及び／又は、例えば一体化されたフレキシブルディスプレイ等、ディスプレイシステム８２４のために表示データを生成する、音声及び／又は映像処理システム８２０を含む。音声システム及び／又はディスプレイシステムは、音声、映像、表示、及び／又は画像データを処理する、表示する、及び／又は別の方法で表現する任意のデバイスを含み得る。表示データ及び音声信号は、ＲＦ（無線周波数）接続、Ｓビデオ接続、コンポジット映像接続、コンポーネント映像接続、ＤＶＩ（デジタル映像インターフェース）、アナログ音声接続、又は他の類似の通信接続を介して、音声デバイス及び／又はディスプレイデバイスへ伝送されることができる。実装において、音声システム及び／又はディスプレイシステムは、例示のデバイスの一体化されたコンポーネントである。代替的には、音声システム及び／又はディスプレイシステムは、デバイスの外部コンポーネントである。
【００３９】
フレキシブルディスプレイ屈曲組立体の実施形態が特徴及び／又は方法に特有の言い回しで記載されているが、添付の特許請求の範囲の主題は、必ずしも説明された特有の特徴又は方法に限定されるものではない。むしろ、特有の特徴及び方法は、フレキシブルディスプレイ屈曲組立体の例示的な実装として開示される。
【図１】
2014519626.tif 000003
【図２】
2014519626.tif 000004
【図３】
2014519626.tif 000005
【図４】
2014519626.tif 000006
【図５】
2014519626.tif 000007
【図６】
2014519626.tif 000008
【図７】
2014519626.tif 000009
【図８】
2014519626.tif 000010
【国際調査報告】
2014519626.tif 000011
2014519626.tif 000012